(57)【要約】【課題】軽く、細く、かつ丈夫な鯉のぼり用ポール本体を得るとともに、鯉のぼり本体のポール本体に対する姿勢角度を自在に調節できる。【解決手段】スタンド3にカーボン繊維素材により形成したポール本体2の下端を立設して配置する。このポール本体2の上部には、支持棒16を水平方向に突出させて固定接続し、支持棒16の下面に、係合部材17を配置する。上記係合部材17には掲揚ひも4を挿通して係合配置する。この掲揚ひも4に鯉のぼり本体5の口部25を接続固定するとともに、上記支持棒16と鯉のぼり本体5を、吊り糸36を介して接続固定する。そして、掲揚ひも4を上下動させると、掲揚ひも4に接続した鯉のぼり本体5の口部25側も上下動し、鯉のぼり本体5が吊り糸36との接続部28を支点としてシーソー状に上下動する。【選択図】図１
0003127743.tif 000002
【実用新案登録請求の範囲】
【請求項１】
鯉のぼり本体を吊り上げて一定の高さに配置するためのポール本体を、カーボン繊維素材により形成したことを特徴とする鯉のぼり掲揚ポール。
【請求項２】
鯉のぼり本体を吊り上げて一定の高さに配置するためのポール本体を、カーボン繊維素材により形成し、このポール本体の下端をスタンドに立設するとともに、このポール本体の上部に支持棒を水平方向に固定突出し、この支持棒のポール本体側に係合部材を固定配置し、この係合部材に掲揚ひもを上下動可能に係合して、この掲揚ひもをポール本体と平行に配置し、この掲揚ひもには、空中において定形的に姿勢を保持できる鯉のぼり本体の口部側を接続し、また前記支持棒の鯉のぼり本体側の下面に、鯉のぼり本体の上面を、吊り糸を介して定位置に連結固定し、上記掲揚ひもを上下動させることにより、この掲揚ひもの上下動に連動して、鯉のぼり本体の口部側を上下動させ、吊り糸との接続部を支点として、鯉のぼり本体をシーソー状に上下動可能とし、鯉のぼり本体のポール本体に対する姿勢角度を自在に調整可能としたことを特徴とする鯉のぼり掲揚ポールを用いた鯉のぼり掲揚具。
【請求項３】
掲揚ひもは、その両端部をスタンドに係合して配置したことを特徴とする請求項２の鯉のぼり掲揚ポールを用いた鯉のぼり掲揚具。
【請求項４】
鯉のぼり本体は、その背面の形状に沿って硬質部材を挿入配置することにより、空中において定形的に姿勢を保持できるものとしたことを特徴とする請求項２の鯉のぼり掲揚ポールを用いた鯉のぼり掲揚具。
【請求項５】
鯉のぼり本体は、掲揚ひもに複数個を横方向並行に配置し、この複数個を吊り糸を介して一定間隔で連結配置したことを特徴とする請求項２の鯉のぼり掲揚ポールを用いた鯉のぼり掲揚具。
【考案の詳細な説明】
【技術分野】
【０００１】
本願考案は、室内において、鯉のぼり本体を定形的に姿勢を保持した状態で掲揚することを目的とした、鯉のぼり掲揚ポール及び鯉のぼり掲揚ポールを用いた鯉のぼり掲揚具に係るものである。
【背景技術】
【０００２】
我が国においては、古来より端午の節句に鯉のぼりを掲揚する習慣があるが、近年、住宅事情の変化に伴い、以前は屋外に設置することの多かった鯉のぼり掲揚具を、屋内に設置することが増えている。そして、このような室内用の鯉のぼり掲揚具に用いるポール本体の素材としては、木材を加工したものが一般に用いられている。
【０００３】
また、室内用の鯉のぼり掲揚具としては、特許文献１に示す如く、掲揚ひもを、ポール本体の上部から垂下するとともに、上下動不能に配置し、このポール本体上部に固定突出させた支持棒の下面から垂下させた吊り糸に、鯉のぼり本体を連結固定させたものが存在する。
さらに、特許文献２に示す如く、ポール本体上部の側面に通風孔を設け、この通風孔を通して、人工風をポール本体からその垂直方向に排出させ、鯉のぼり本体にこの人工風をあてることにより、鯉のぼり本体の姿勢を保持する室内用鯉のぼりが存在する。
【０００４】
【特許文献１】実開昭５９−１８７３８７号公報
【特許文献２】実開昭５６−９８０８７号公報
【考案の開示】
【考案が解決しようとする課題】
【０００５】
しかし、上述の如くポール本体に木材を加工したものを用いた場合には、ポール本体の重量が重くなり、このため、このポール本体を支えるスタンドの重量も重くなる。その結果、鯉のぼり掲揚具全体として重量が重くなり、鯉のぼり掲揚具を運んだり、組み立てたりしにくいものとなっていた。
また、ポール本体の強度を保つためには、ポール本体を相当程度太くしておく必要があるため、結果として鯉のぼり装飾具全体が無骨な印象を与え、鯉のぼり本体のデザインに調和させて配置することが困難であった。
さらに、木材を加工したもの従来のポール本体と比べて細く丸く加工して使用することは可能であるが、この場合には、環境中の湿度が高かったり乾燥していたりする場合には、反りやひび割れが生じやすいものとなる。
【０００６】
また、特許文献１に記載の鯉のぼりは、掲揚ひもを上下動不能な状態で配置しているため、鯉のぼり本体の空中における姿勢は一定に保たれ、姿勢を自在に調整することはできない。従って、鯉のぼり掲揚具を設置した後に、好みに合わせて鯉のぼり本体のポール本体に対する姿勢角度を自在に調整することは困難であった。
【０００７】
さらに、特許文献２に記載の鯉のぼり掲揚具についても、鯉のぼり本体のポール本体に対する姿勢角度を自在に調整できない点は特許文献１に記載の鯉のぼりと同様である。また、この掲揚具において人工風を通風孔から排出するためには、鯉のぼり掲揚具に送風機を設置する必要があり、製造コストが高くなる。さらに、送風機を設置することにより、鯉のぼり掲揚具全体の重量が重くなっていた。
【０００８】
そこで本願考案は、上述の如き課題を解決しようとするものであって、従来品と比較して、軽く、細く、かつ丈夫な鯉のぼり用ポール本体を得るとともに、鯉のぼり本体のポール本体に対する姿勢角度を自在に調節可能にしようとするものである。
【課題を解決するための手段】
【０００９】
上述の課題を解決するため、第１の考案は、鯉のぼり本体を吊り上げて一定の高さに配置するためのポール本体を、カーボン繊維素材により形成したものである。従って、同じ強度のポール本体を木材により形成した場合と比較して、ポール本体を軽くすることができるため、ポール本体が取り扱いやすいものとなる。また、木材により形成する場合に比較し、ポール本体を細くすることが可能であるため、ポール本体を鯉のぼり本体のデザインと調和させやすいものとなる。さらに、ポール本体の強度が強いため、反りやひびが生じにくいものとなる。
【００１０】
また、第２の考案は、鯉のぼり本体を吊り上げて一定の高さに配置するためのポール本体を、カーボン繊維素材により形成したものであるから、ポール本体に関しては、第１の考案と同様の技術効果を得ることができる。そして、このポール本体の下端をスタンドに立設し、このポール本体の上部には支持棒を水平方向に固定突出し、この支持棒のポール本体側の下面に係合部材を固定配置している。さらに、この係合部材に係合して掲揚ひもをポール本体と平行に配置しており、この掲揚ひもは、上記係合部材と係合して配置することにより、上下動可能となっている。
【００１１】
さらに、上記掲揚ひもには、背部の形状に沿って硬質部材を挿入配置する等の方法により空中において定形的に姿勢を保持できる鯉のぼり本体の口部側を接続している。また、前記支持棒の鯉のぼり本体側の下面は、鯉のぼり本体の上面と、吊り糸を介して定位置に連結固定させている。
【００１２】
このように配置することにより、前記掲揚ひもを上下動させると、この掲揚ひもに接続した鯉のぼり本体の口部側も上下動する。一方で、鯉のぼり本体の吊り糸との接続部は、上述の通り、吊り糸を介して支持棒と定位置に連結固定されているため、上下動しない。従って、前記掲揚ひもを上下動させると、鯉のぼり本体が吊り糸との接続部を支点として、シーソー状に上下動可能となり、鯉のぼり本体のポール本体に対する姿勢角度を自在に調整することが可能となる。
【００１３】
また、掲揚ひもは、その両端部をスタンドの立設部材に係合して配置したものであっても良い。このように配置することにより、掲揚ひもを安定して配置することが可能となり、鯉のぼり本体の空中における姿勢を保持しやすいものとなる。
【００１４】
また、鯉のぼり本体は、掲揚ひもに複数個を横方向並行に配置し、この複数個を吊り糸を介して一定間隔で連結配置したものであっても良い。このように配置した場合であっても、複数個の鯉のぼり本体を一本の掲揚ひもに接続配置することにより、一回の掲揚ひもの上下動で、すべての鯉のぼり本体のポール本体に対する姿勢角度を自在に調整することが可能である。
【００１５】
なお、本明細書で言う鯉のぼり本体とは、父親鯉、母親鯉、子供鯉、吹き流し等を含み、鯉のぼり掲揚具により掲揚するものの総称を示すものである。
【考案の効果】
【００１６】
本願の第１考案は、鯉のぼり本体を吊り上げて一定の高さに配置するためのポール本体をカーボン繊維素材にて形成したものであるから、従来の木材を用いたものに比べて、重量が軽い。そのため、室内用鯉のぼりを運んだり、組み立てたりする場合であっても、取り扱いやすいものとなっている。
【００１７】
また、カーボン繊維素材は、木材と比較して、強度が強い。そのため、鯉のぼり本体のポール本体に対する姿勢角度を調整するために掲揚ひもを上下動させる場合にも、ひびや折れが発生しにくいものとなる。さらに、カーボン繊維素材の高い強度により、ポール本体の太さを細くすることができるから、鯉のぼり本体との関係でデザインに調和させて配置させやすいものとなっている。また、カーボン繊維素材は木材と比較して、劣化が生じにくいものである。従って、ポール本体に劣化によるひびや曲がりが生じにくく、ポール本体の耐用期間を長くすることができる。
【００１８】
さらに、本願の第２考案は、上記の如く、掲揚ひもを上下動させることにより、定形的に姿勢を保つことができる鯉のぼり本体の口部側をそれに連動して上下動させて、鯉のぼり本体を、吊り糸との接続部を支点としてシーソー状に上下動可能に構成したものである。従って、空中における鯉のぼり本体のポール本体に対する姿勢角度を、使用者の好みに応じて容易かつ自在に調整することが可能となる。そのため、鯉のぼり本体を使用者の好みで勢いの良いものにしようとする場合には、図１に示す如く尾部側が口部側よりも上方に位置する姿勢とすれば良いし、鯉のぼり本体に穏やかな感性を与えようとする場合は、図６に示す如く幾分尾部側が口部側より下方に位置する姿勢とすれば良く、鯉のぼり本体の姿勢の制御が可能となる。また、鯉のぼり本体を水平に配置することも勿論可能なものとなる。
【実施例１】
【００１９】
本願考案の実施例１を図１〜６において説明すると、（１）は本実施例に係る鯉のぼり掲揚具（１）であって、図１に示すごとく、カーボン繊維素材により形成した棒状のポール本体（２）をスタンド（３）に立設するとともに、このポール本体（２）に沿って平行に掲揚ひも（４）を配置している。そして、この掲揚ひも（４）には、鯉のぼり本体（５）を等間隔に４体接続している。
【００２０】
本実施例１について更に詳細に説明すると、上記スタンド（３）は木製であり、図３に示す如く、基盤（６）の上面に立設部材（７）を配置して形成したものである。そして、上記基盤（６）は平板状の略長方形に形成されており、図２に示す如く、大径部（３８）とその上部の小径部（３９）からなる円筒状の挿通穴（８）を３つ平行に貫通形成している。
【００２１】
また、上記立設部材（７）は、図２に示す如く、四角柱状の一対の支柱（１０）を間隔を設けて構成するとともに、この一対の支柱（１０）の間隔には、四角柱状の上部架設棒（１１）及び下部架設棒（１２）を、一対の支柱（１０）の上方及び下方にそれぞれ架設して配置している。そして、この一対の支柱（１０）の底面にはネジ穴（９）を形成している。また、上部架設棒（１１）及び下部架設棒（１２）にはいずれも、長さ方向の中央にポール本体（２）を挿通可能とする円筒状の貫通穴（１３）を貫通形成している。
【００２２】
そして、上記一対の支柱（１０）のネジ穴（９）と、このネジ穴（９）に接続可能に形成した蝶ネジ（１９）とを、図２に示す如く、上記基盤（６）に設けられた３つの挿通穴（８）のうち両端のものを介してネジ留めして接合することにより、図３に示す如く、スタンド（３）を形成することができる。なお、上記挿通穴（８）の大径部（３８）は、上記蝶ネジ（１９）の蝶部（２９）を収納可能に形成されているため、基盤（６）を配置する際に、蝶部（２９）が基盤（６）の底面から突出するおそれがなく、基盤（６）を安定して配置することが可能となる。このように、立設部材（７）は、基盤（６）に着脱自在に係合可能としているため、鯉のぼり掲揚具（１）の使用後は、蝶ネジ（１９）を外して、立設部材（７）と基盤（６）とを分離して収納することが可能であり、収納性の高いものとすることができる。
【００２３】
また、上記の如く形成したスタンド（３）の貫通穴（１３）に、ポール本体（２）の下端側を挿通することにより、図３に示す如く、ポール本体（２）をスタンド（３）に立設する。なお、ポール本体（２）は、貫通穴（１３）に着脱可能に挿通することができるものとしている。そのため、鯉のぼり掲揚具（１）の使用後は、図２に示す如く、ポール本体（２）を貫通穴（１３）から抜き出して、ポール本体（２）と立設部材（７）とを分離して収納することが可能であり、収納性の高いものとすることができる。
【００２４】
また、蝶ネジ（１９）を使用し、大径部（３８）内に、蝶ネジ（１９）収納できるものとしたから、工具を使用することなく手指のみによってスタンド（３）の組立、分解を可能とすることができる。
【００２５】
また、ポール本体（２）は、上記支柱（１０）と同様に、その底面に蝶ネジ（１９）を係合可能なネジ穴（９）が形成されている。そして、ポール本体（２）をスタンド（３）に立設する際には、蝶ネジ（１９）とポール本体（２）のネジ穴（９）を、上記基盤（６）に設けられた３つの挿通穴（８）のうち中央のものを介して、ネジ留めして接続する。これにより、ポール本体（２）を、回動不能な状態でスタンド（３）に立設することとなるため、ポール本体（３）を安定して配置することが可能となる。
【００２６】
そして、ポール本体（２）は、上部ポール部材（１４）及び下部ポール部材（１５）とからなり、この上部ポール部材（１４）と下部ポール部材（１５）とを、上部ポール部材（１４）の下端と下部ポール部材（１５）の上端に取り付けたねじ式のジョイント（図示せず）により、接続することにより形成したものである。従って、鯉のぼり掲揚具（１）の使用後は、ジョイント部分（３０）を外して、上部ポール部材（１４）と下部ポール部材（１５）とを分離することにより、ポール本体（２）をコンパクトに収納することが可能となる。
【００２７】
また、このポール本体（２）は、カーボン繊維素材にて形成している。従って、従来の木材を加工したものを用いたものに比べて、重量が軽い。そのため、従来のものと比べて、取り扱いやすいものとなっている。
【００２８】
また、カーボン繊維素材は、木材と比較して、強度が強い。従って、ポール本体にカーボン繊維素材を用いた場合には、木材を用いて同じ強度のポール本体を形成する場合と比較して、ポール本体（２）の太さを細くすることができる。そのため、従来のポール本体の如く鯉のぼり掲揚具全体が無骨な印象を与えることがなく、鯉のぼり本体とのデザインが調和し、配置することが可能となる。
【００２９】
さらに、カーボン繊維素材は木材と比較して、劣化が生じにくい。従って、木材を用いた場合と比較して、ポール本体（２）に劣化によるひび、曲がりが生じにくいため、ポール本体（２）の耐用期間を長くすることができる。
【００３０】
また、前述の通り、ポール本体（２）をカーボン繊維素材により形成しており、軽量であるため、このポール本体（２）を支えるスタンド（３）についても、従来の室内用の鯉のぼり掲揚具と比較して、小さく、軽いものを使用することができる。そのため、ポール本体（２）の軽量化に加えて、スタンド（３）も軽量化することができるから、鯉のぼり掲揚具（１）全体の重量は、従来のものに比べてはるかに軽いものとなる。従って、持ち運んだり、組み立てたりする場合に、取り扱いやすいものとなっている。
【００３１】
そして、スタンド（３）に立設したポール本体（２）の上部には、図１に示す如く、鯉のぼり本体（５）の口部（２５）及び上部を吊り下げるための支持棒（１６）を、ポール本体（２）の軸方向とは垂直方向に突出させて接続固定している。そして、図４に示す如く、この支持棒（１６）のポール本体（２）側には、リング状の係合部材（１７）を固定配置している。なお、上記支持棒（１６）は、鯉のぼり掲揚具（１）の収納性を考慮し、ポール本体（２）と着脱可能に接続している。また、ポール本体（２）の上端には、図１に示す如く、木製の矢車（１８）を鉛直方向に突出固定している。
【００３２】
そして、上記リング状の係合部材（１７）には、図１に示すごとく、掲揚ひも（４）を挿通して係合しているから、この掲揚ひも（４）は、ポール本体（２）と平行する直線部（２０）が２カ所に形成される。そして、このように配置した掲揚ひも（４）において、一方の直線部（２０）を下方に移動させると、他方の直線部（２０）は上方に移動し、他方の直線部（２０）を下方に移動させると、一方の直線部（２０）は上方に移動するものとなる。
【００３３】
また、本実施例では、上記の如く、係合部材（１７）をリング状に形成して支持棒（１６）の鯉のぼり本体（５）側の下部と接続し、これに掲揚ひも（４）を挿通しているが、他の異なる実施例においては、係合部材（１７）として滑車を用い、この滑車に掲揚ひも（４）を係合させて使用することも可能である。この場合には、掲揚ひも（４）の上下動の際に、掲揚ひも（４）が係合部材（１７）を通過する際の摩擦抵抗が少なくなるため、掲揚ひも（４）の上下動をより円滑に行うことが可能となる。
【００３４】
さらに、上記の如く形成した掲揚ひも（４）には、４体の鯉のぼり本体（５）を接続している。この鯉のぼり本体（５）は、図５に示す如く、鯉のぼり本体（５）の内部に、その背面の形状に沿って、塩化ビニール材にて形成したパイプ製の硬質部材（２３）を挿入配置することにより、その形状を保持している。また、上記鯉のぼり本体（５）は、布材にて形成したものであって、その外形を、一体は吹き流しの装飾を施したものとし、３体は父親鯉、母親鯉、子供鯉等の、鯉のぼりの装飾を施したものとしている。また、掲揚ひも（４）に接続する側の口部（２５）を開口部（２６）とした袋状に形成している。
【００３５】
そして吹き流しの装飾を施した鯉のぼり本体（５）を吹き流し（３１）とし、鯉のぼりの装飾を施した鯉のぼり本体（５）のうち、最大のものを父親鯉のぼり（３２）、次に大きいものを母親鯉のぼり（３３）、最小のものを子供鯉のぼり（３４）とする。
【００３６】
そして、上記の如く形成した各鯉のぼり本体（５）は、その口部（２５）をナイロン製の口糸（３５）を介して掲揚ひも（４）に接続固定している。この口糸（３５）は、図５に示す如く、一端を鯉のぼり本体（５）の口部（２５）の１カ所に接続するとともに、他端を前記接続部の対向位置に一カ所接続している。このように口糸（３５）を口部（２５）において対向位置にそれぞれ１カ所ずつ、計２カ所配置することで、掲揚ひも（４）を上下動させた場合に、口糸（３５）から鯉のぼり本体（５）の口部（２５）にかかる負荷が、２カ所に分散されるため、掲揚ひも（４）の上下動による鯉のぼり本体（５）の破損を防止することができる。
【００３７】
また、上記の如く形成するとともに、口部（２５）を掲揚ひも（４）に接続した４体の鯉のぼり本体（５）は、図１に示す如く、支持棒（１６）の鯉のぼり本体（５）側に吊り糸（３６）を介して連結配置している。詳述すれば、まず、図４に示す如く、支持棒（１６）の鯉のぼり本体（５）側の下面からＳ字フック（２４）を介して吊り糸（３６）を垂下させる。そして、図１に示す如く、この吊り糸（３６）と吹き流し（３１）の上面であって長さ方向中央よりもやや口部（２５）側を、接続糸（３７）を介して連結固定している。
【００３８】
次に、吊り糸（３６）と父親鯉のぼり（３２）の上面であって長さ方向中央よりもやや口部（２５）側を接続糸（３７）を介して連結固定させ、さらに、吊り糸（３６）と母親鯉のぼり（３３）の上面であって長さ方向中央よりもやや口部（２５）側を接続糸（３７）を介して連結固定させている。そして、吊り糸（３６）の下端は、Ｓ字フック（２４）を介して、子供鯉のぼり（３４）の上面であって長さ方向中央よりもやや口部（２５）側と、連結固定している。尚、上記の如く吊り糸（３６）にて連結した各鯉のぼり本体（５）間の連結部分の間隔はほぼ等しいものとしている。
【００３９】
また、上記の如く連結した鯉のぼり本体（５）は、ポール本体（２）に設けられた支持棒（１６）に吊り下げられている。そのため、支持棒（１６）は、これらの鯉のぼり本体（５）の重量に耐えうる強度を確保する必要がある。従って、支持棒（１６）についてもポール本体（２）と同じく、カーボン繊維素材により形成することが好ましい。なお、このようにポール本体（２）と支持棒（１６）との素材を統一することにより、ポール本体（２）と支持棒（１６）とのデザイン上の調和をとることも可能となる。
【００４０】
さらに、上記吊り糸（３６）は、透明なナイロン素材により形成されており、透明でないものを用いる場合と比較して目視により見えにくいものとなっている。従って、鯉のぼり本体（５）が、まるでポール本体（２）のみと接続して配置した屋外用のものと同様に、風の力によって定形的に姿勢を保持しているのと同様に見せることができる。
【００４１】
上記の如く形成した鯉のぼり掲揚具（１）において、図１は、鯉のぼり本体（５）の口部（２５）側が鯉のぼり本体（５）の尾部（２７）側よりも下方に位置する状態を示している。そして、この状態から、ポール本体（２）と平行に配置した掲揚ひも（４）の２本の直線部（２０）のうち、鯉のぼり本体（５）を接続していない掲揚部（２１）を手で引いて下方に移動させる。そうすると、鯉のぼり本体（５）を接続している掲揚ひも（４）の鯉のぼり本体接続部（２２）は上方に移動し、これと同時に、鯉のぼり本体（５）の口部（２５）側も上方に移動する。一方で、鯉のぼり本体（５）の吊り糸（３６）との接続部（２８）は、上述の通り、吊り糸（３６）を介して支持棒（１６）と定位置に連結固定されているため、移動不能となっている。
【００４２】
従って、上記の如く前記掲揚ひも（４）の掲揚部（２１）を下方に移動させると、鯉のぼり本体（５）の口部（２５）側が、吊り糸（３６）との接続部（２８）を支点としてシーソー状に上方に移動するとともに、尾部（２７）側が下方に移動する。そのため、鯉のぼり本体（５）のポール本体（２）に対する姿勢は、図６に示す如く、鯉のぼり本体（５）の口部（２５）側が鯉のぼり本体（５）の尾部（２７）側よりも上方に位置する状態になるから、鯉のぼり本体の姿勢を静かなものとし、穏やかな感性を与えることができる。
【００４３】
また、図６に示す如く、鯉のぼり本体（５）の口部（２５）側が鯉のぼり本体（５）の尾部（２７）側よりも上方に位置する状態で、前記掲揚ひも（４）の鯉のぼり本体接続部（２２）を手で引いて下方に移動させる。これにより、鯉のぼり本体（５）の口部（２５）側が吊り糸（３６）との接続部（２８）を支点として、シーソー状に下方に移動するとともに鯉のぼり本体（５）の尾部（２７）側が上方に移動する。従って、鯉のぼり本体（５）のポール本体（２）に対する姿勢は、図１に示す如く、鯉のぼり本体（５）の口部（２５）側が鯉のぼり本体（５）の尾部（２７）側よりも下方に位置する状態になるから、鯉のぼり本体の姿勢に急流に逆らって泳ぐ勢いの良い感性を与えることができる。なお、この勢いの良い感性、穏やかな感性等は使用者の好みによっても異なるものであり、使用者が任意に決定するものである。
【００４４】
また、この場合も、上記吊り糸にすべての鯉のぼり本体（５）を連結固定しているため、上述の如く掲揚ひも（４）の鯉のぼり本体接続部（２２）を一回下方に移動させることにより、４体すべての鯉のぼり本体（５）の口部（２５）側を、下方に移動させるとともに、尾部（２７）側を上方に移動させることが可能となる。
【００４５】
また、本実施例においては、上記の如く鯉のぼり本体（５）の姿勢角度を調節させた後に、掲揚ひも（４）の両端を、上記スタンド（３）の上部架設棒（１１）に結びつけて固定配置している。そのため、結びつけた後は掲揚ひも（４）が上下動不能となるため、鯉のぼり本体（５）の姿勢を安定させて保持することが可能となる。
【００４６】
このように、本実施例においては、掲揚ひも（４）を上下動させることにより、鯉のぼり本体（５）の姿勢角度を容易に変化させて調整することが可能となる。従って、本実施例における鯉のぼり掲揚具（１）は、従来の室内用のものとは異なり、空中における鯉のぼり本体（５）のポール本体（２）に対する姿勢角度を、使用者の好みに応じて自在に調整することが可能となる。そのため、鯉のぼり本体（５）を使用者の好みで勢いの良いものにしたり、穏やかなものとする等の鯉のぼり本体（５）の姿勢の制御が可能となる。なお、使用者の好みに応じて、鯉のぼり本体（５）の姿勢を水平方向に保つことも当然可能である。
【００４７】
また、本実施例においては、上述の如く掲揚ひも（４）を上下動させる際に、係合部材（１７）を介してポール本体（２）に過度の負荷がかかる場合もある。しかし、ポール本体（２）がカーボン繊維素材により形成されているため、ポール本体（２）の強度が強く、掲揚ひもを上下動させても、ひびや折れが発生しにくいものとなっている。
【図面の簡単な説明】
【００４８】
【図１】鯉のぼり本体の口部側を尾部側よりも下方に配置した状態の斜視図。
【図２】スタンド部の分解拡大斜視図。
【図３】スタンド部の拡大斜視図。
【図４】支持棒の拡大斜視図。
【図５】鯉のぼり本体に硬質部材を挿入配置した状態を示す斜視図。
【図６】鯉のぼり本体の口部側を尾部側よりも上方に配置した状態の斜視図。
【符号の説明】
【００４９】
２  ポール本体
３  スタンド
４  掲揚ひも
５  鯉のぼり本体
１６  支持棒
１７  係合部材
２５  口部
２８  接続部
３６  吊り糸
【図１】
0003127743.tif 000003
【図２】
0003127743.tif 000004
【図３】
0003127743.tif 000005
【図４】
0003127743.tif 000006
【図５】
0003127743.tif 000007
【図６】
0003127743.tif 000008
【手続補正書】
【提出日】平成18年10月5日(2006.10.5)
【手続補正１】
【補正対象書類名】実用新案登録請求の範囲
【補正対象項目名】全文
【補正方法】変更
【補正の内容】
【実用新案登録請求の範囲】
【請求項１】
鯉のぼり本体を吊り上げて一定の高さに配置するためのポール本体を、カーボン繊維素材により形成し、このポール本体の下端をスタンドに立設するとともに、このポール本体の上部に支持棒を水平方向に固定突出し、この支持棒のポール本体側に係合部材を固定配置し、この係合部材に掲揚ひもを上下動可能に係合して、この掲揚ひもをポール本体と平行に配置し、この掲揚ひもには、空中において定形的に姿勢を保持できる鯉のぼり本体の口部側を接続し、また前記支持棒の鯉のぼり本体側の下面に、鯉のぼり本体の上面を、吊り糸を介して定位置に連結固定し、上記掲揚ひもを上下動させることにより、この掲揚ひもの上下動に連動して、鯉のぼり本体の口部側を上下動させ、吊り糸との接続部を支点として、鯉のぼり本体をシーソー状に上下動可能とし、鯉のぼり本体のポール本体に対する姿勢角度を自在に調整可能としたことを特徴とする鯉のぼり掲揚ポールを用いた鯉のぼり掲揚具。
【請求項２】
掲揚ひもは、その両端部をスタンドに係合して配置したことを特徴とする請求項１の鯉のぼり掲揚具。
【請求項３】
鯉のぼり本体は、その背面の形状に沿って硬質部材を挿入配置することにより、空中において定形的に姿勢を保持できるものとしたことを特徴とする請求項１の鯉のぼり掲揚ポールを用いた鯉のぼり掲揚具。
【請求項４】
鯉のぼり本体は、掲揚ひもに複数個を横方向並行に配置し、この複数個を吊り糸を介して一定間隔で連結配置したことを特徴とする請求項１の鯉のぼり掲揚ポールを用いた鯉のぼり掲揚具。
【手続補正２】
【補正対象書類名】明細書
【補正対象項目名】０００９
【補正方法】変更
【補正の内容】
【０００９】
上述の課題を解決するため、本願考案は、鯉のぼり本体を吊り上げて一定の高さに配置するためのポール本体を、カーボン繊維素材により形成したものである。従って、同じ強度のポール本体を木材により形成した場合と比較して、ポール本体を軽くすることができるため、ポール本体が取り扱いやすいものとなる。また、木材により形成する場合に比較し、ポール本体を細くすることが可能であるため、ポール本体を鯉のぼり本体のデザインと調和させやすいものとなる。さらに、ポール本体の強度が強いため、反りやひびが生じにくいものとなる。
【手続補正３】
【補正対象書類名】明細書
【補正対象項目名】００１０
【補正方法】変更
【補正の内容】
【００１０】
そして、このポール本体の下端をスタンドに立設し、このポール本体の上部には支持棒を水平方向に固定突出し、この支持棒のポール本体側の下面に係合部材を固定配置している。さらに、この係合部材に係合して掲揚ひもをポール本体と平行に配置しており、この掲揚ひもは、上記係合部材と係合して配置することにより、上下動可能となっている。
【手続補正４】
【補正対象書類名】明細書
【補正対象項目名】００１６
【補正方法】変更
【補正の内容】
【００１６】
本願考案は、鯉のぼり本体を吊り上げて一定の高さに配置するためのポール本体をカーボン繊維素材にて形成したものであるから、従来の木材を用いたものに比べて、重量が軽い。そのため、室内用鯉のぼりを運んだり、組み立てたりする場合であっても、取り扱いやすいものとなっている。
【手続補正５】
【補正対象書類名】明細書
【補正対象項目名】００１８
【補正方法】変更
【補正の内容】
【００１８】
さらに、本願考案は、上記の如く、掲揚ひもを上下動させることにより、定形的に姿勢を保つことができる鯉のぼり本体の口部側をそれに連動して上下動させて、鯉のぼり本体を、吊り糸との接続部を支点としてシーソー状に上下動可能に構成したものである。従って、空中における鯉のぼり本体のポール本体に対する姿勢角度を、使用者の好みに応じて容易かつ自在に調整することが可能となる。そのため、鯉のぼり本体を使用者の好みで勢いの良いものにしようとする場合には、図１に示す如く尾部側が口部側よりも上方に位置する姿勢とすれば良いし、鯉のぼり本体に穏やかな感性を与えようとする場合は、図６に示す如く幾分尾部側が口部側より下方に位置する姿勢とすれば良く、鯉のぼり本体の姿勢の制御が可能となる。また、鯉のぼり本体を水平に配置することも勿論可能なものとなる。
【手続補正書】
【提出日】平成18年10月12日(2006.10.12)
【手続補正１】
【補正対象書類名】実用新案登録請求の範囲
【補正対象項目名】全文
【補正方法】変更
【補正の内容】
【実用新案登録請求の範囲】
【請求項１】
鯉のぼり本体を吊り上げて一定の高さに配置するためのポール本体を、カーボン繊維素材により形成し、このポール本体の下端をスタンドに立設するとともに、このポール本体の上部に支持棒を水平方向に固定突出し、この支持棒のポール本体側に係合部材を固定配置し、この係合部材に掲揚ひもを上下動可能に係合して、この掲揚ひもをポール本体と平行に配置し、この掲揚ひもには、空中において定形的に姿勢を保持できる鯉のぼり本体の口部側を接続し、また前記支持棒の鯉のぼり本体側の下面に、鯉のぼり本体の上面を、吊り糸を介して定位置に連結固定し、上記掲揚ひもを上下動させることにより、この掲揚ひもの上下動に連動して、鯉のぼり本体の口部側を上下動させ、吊り糸との接続部を支点として、鯉のぼり本体をシーソー状に上下動可能とし、鯉のぼり本体のポール本体に対する姿勢角度を自在に調整可能としたことを特徴とする鯉のぼり掲揚具。
【請求項２】
掲揚ひもは、その両端部をスタンドに係合して配置したことを特徴とする請求項１の鯉のぼり掲揚具。
【請求項３】
鯉のぼり本体は、その背面の形状に沿って硬質部材を挿入配置することにより、空中において定形的に姿勢を保持できるものとしたことを特徴とする請求項１の鯉のぼり掲揚具。
【請求項４】
鯉のぼり本体は、掲揚ひもに複数個を横方向並行に配置し、この複数個を吊り糸を介して一定間隔で連結配置したことを特徴とする請求項１の鯉のぼり掲揚具。
【手続補正２】
【補正対象書類名】明細書
【補正対象項目名】全文
【補正方法】変更
【補正の内容】
【考案の詳細な説明】
【技術分野】
【０００１】
本願考案は、室内において、鯉のぼり本体を定形的に姿勢を保持した状態で掲揚することを目的とした鯉のぼり掲揚具に係るものである。
【背景技術】
【０００２】
我が国においては、古来より端午の節句に鯉のぼりを掲揚する習慣があるが、近年、住宅事情の変化に伴い、以前は屋外に設置することの多かった鯉のぼり掲揚具を、屋内に設置することが増えている。そして、このような室内用の鯉のぼり掲揚具に用いるポール本体の素材としては、木材を加工したものが一般に用いられている。
【０００３】
また、室内用の鯉のぼり掲揚具としては、特許文献１に示す如く、掲揚ひもを、ポール本体の上部から垂下するとともに、上下動不能に配置し、このポール本体上部に固定突出させた支持棒の下面から垂下させた吊り糸に、鯉のぼり本体を連結固定させたものが存在する。
【０００４】
さらに、特許文献２に示す如く、ポール本体上部の側面に通風孔を設け、この通風孔を通して、人工風をポール本体からその垂直方向に排出させ、鯉のぼり本体にこの人工風をあてることにより、鯉のぼり本体の姿勢を保持する室内用鯉のぼりが存在する。
【０００５】
【特許文献１】実開昭５９−１８７３８７号公報
【特許文献２】実開昭５６−９８０８７号公報
【考案の開示】
【考案が解決しようとする課題】
【０００６】
しかし、上述の如くポール本体に木材を加工したものを用いた場合には、ポール本体の重量が重くなり、このため、このポール本体を支えるスタンドの重量も重くなる。その結果、鯉のぼり掲揚具全体として重量が重くなり、鯉のぼり掲揚具を運んだり、組み立てたりしにくいものとなっていた。
【０００７】
また、ポール本体の強度を保つためには、ポール本体を相当程度太くしておく必要があるため、結果として鯉のぼり装飾具全体が無骨な印象を与え、鯉のぼり本体のデザインに調和させて配置することが困難であった。
【０００８】
さらに、木材を加工した従来のポール本体と比べて細く丸く加工して使用することは可能であるが、この場合には、環境中の湿度が高かったり乾燥していたりする場合には、反りやひび割れが生じやすいものとなる。
【０００９】
また、特許文献１に記載の鯉のぼりは、掲揚ひもを上下動不能な状態で配置しているため、鯉のぼり本体の空中における姿勢は一定に保たれ、姿勢を自在に調整することはできない。従って、鯉のぼり掲揚具を設置した後に、好みに合わせて鯉のぼり本体のポール本体に対する姿勢角度を自在に調整することは困難であった。
【００１０】
さらに、特許文献２に記載の鯉のぼり掲揚具についても、鯉のぼり本体のポール本体に対する姿勢角度を自在に調整できない点は特許文献１に記載の鯉のぼりと同様である。また、この掲揚具において人工風を通風孔から排出するためには、鯉のぼり掲揚具に送風機を設置する必要があり、製造コストが高くなる。さらに、送風機を設置することにより、鯉のぼり掲揚具全体の重量が重くなっていた。
【００１１】
そこで本願考案は、上述の如き課題を解決しようとするものであって、従来品と比較して、軽く、細く、かつ丈夫な鯉のぼり用ポール本体を得るとともに、鯉のぼり本体のポール本体に対する姿勢角度を自在に調節可能にしようとするものである。
【課題を解決するための手段】
【００１２】
上述の課題を解決するため、本願考案は、鯉のぼり本体を吊り上げて一定の高さに配置するためのポール本体を、カーボン繊維素材により形成したものである。従って、同じ強度のポール本体を木材により形成した場合と比較して、ポール本体を軽くすることができるため、ポール本体が取り扱いやすいものとなる。また、木材により形成する場合に比較し、ポール本体を細くすることが可能であるため、ポール本体を鯉のぼり本体のデザインと調和させやすいものとなる。さらに、ポール本体の強度が強いため、反りやひびが生じにくいものとなる。
【００１３】
そして、このポール本体の下端をスタンドに立設し、このポール本体の上部には支持棒を水平方向に固定突出し、この支持棒のポール本体側の下面に係合部材を固定配置している。さらに、この係合部材に係合して掲揚ひもをポール本体と平行に配置しており、この掲揚ひもは、上記係合部材と係合して配置することにより、上下動可能となっている。
【００１４】
さらに、上記掲揚ひもには、背部の形状に沿って硬質部材を挿入配置する等の方法により空中において定形的に姿勢を保持できる鯉のぼり本体の口部側を接続している。また、前記支持棒の鯉のぼり本体側の下面は、鯉のぼり本体の上面と、吊り糸を介して定位置に連結固定させている。
【００１５】
このように配置することにより、前記掲揚ひもを上下動させると、この掲揚ひもに接続した鯉のぼり本体の口部側も上下動する。一方で、鯉のぼり本体の吊り糸との接続部は、上述の通り、吊り糸を介して支持棒と定位置に連結固定されているため、上下動しない。従って、前記掲揚ひもを上下動させると、鯉のぼり本体が吊り糸との接続部を支点として、シーソー状に上下動可能となり、鯉のぼり本体のポール本体に対する姿勢角度を自在に調整することが可能となる。
【００１６】
また、掲揚ひもは、その両端部をスタンドの立設部材に係合して配置したものであっても良い。このように配置することにより、掲揚ひもを安定して配置することが可能となり、鯉のぼり本体の空中における姿勢を保持しやすいものとなる。
【００１７】
また、鯉のぼり本体は、掲揚ひもに複数個を横方向並行に配置し、この複数個を吊り糸を介して一定間隔で連結配置したものであっても良い。このように配置した場合であっても、複数個の鯉のぼり本体を一本の掲揚ひもに接続配置することにより、一回の掲揚ひもの上下動で、すべての鯉のぼり本体のポール本体に対する姿勢角度を自在に調整することが可能である。
【００１８】
なお、本明細書で言う鯉のぼり本体とは、父親鯉、母親鯉、子供鯉、吹き流し等を含み、鯉のぼり掲揚具により掲揚するものの総称を示すものである。
【考案の効果】
【００１９】
本願考案は、鯉のぼり本体を吊り上げて一定の高さに配置するためのポール本体をカーボン繊維素材にて形成したものであるから、従来の木材を用いたものに比べて、重量が軽い。そのため、室内用鯉のぼりを運んだり、組み立てたりする場合であっても、取り扱いやすいものとなっている。
【００２０】
また、カーボン繊維素材は、木材と比較して、強度が強い。そのため、鯉のぼり本体のポール本体に対する姿勢角度を調整するために掲揚ひもを上下動させる場合にも、ひびや折れが発生しにくいものとなる。さらに、カーボン繊維素材の高い強度により、ポール本体の太さを細くすることができるから、鯉のぼり本体との関係でデザインに調和させて配置させやすいものとなっている。また、カーボン繊維素材は木材と比較して、劣化が生じにくいものである。従って、ポール本体に劣化によるひびや曲がりが生じにくく、ポール本体の耐用期間を長くすることができる。
【００２１】
さらに、本願考案は、上記の如く、掲揚ひもを上下動させることにより、定形的に姿勢を保つことができる鯉のぼり本体の口部側をそれに連動して上下動させて、鯉のぼり本体を、吊り糸との接続部を支点としてシーソー状に上下動可能に構成したものである。従って、空中における鯉のぼり本体のポール本体に対する姿勢角度を、使用者の好みに応じて容易かつ自在に調整することが可能となる。そのため、鯉のぼり本体を使用者の好みで勢いの良いものにしようとする場合には、図１に示す如く尾部側が口部側よりも上方に位置する姿勢とすれば良いし、鯉のぼり本体に穏やかな感性を与えようとする場合は、図６に示す如く幾分尾部側が口部側より下方に位置する姿勢とすれば良く、鯉のぼり本体の姿勢の制御が可能となる。また、鯉のぼり本体を水平に配置することも勿論可能なものとなる。
【実施例１】
【００２２】
本願考案の実施例１を図１〜６において説明すると、（１）は本実施例に係る鯉のぼり掲揚具（１）であって、図１に示すごとく、カーボン繊維素材により形成した棒状のポール本体（２）をスタンド（３）に立設するとともに、このポール本体（２）に沿って平行に掲揚ひも（４）を配置している。そして、この掲揚ひも（４）には、鯉のぼり本体（５）を等間隔に４体接続している。
【００２３】
本実施例１について更に詳細に説明すると、上記スタンド（３）は木製であり、図３に示す如く、基盤（６）の上面に立設部材（７）を配置して形成したものである。そして、上記基盤（６）は平板状の略長方形に形成されており、図２に示す如く、大径部（３８）とその上部の小径部（３９）からなる円筒状の挿通穴（８）を３つ平行に貫通形成している。
【００２４】
また、上記立設部材（７）は、図２に示す如く、四角柱状の一対の支柱（１０）を間隔を設けて構成するとともに、この一対の支柱（１０）の間隔には、四角柱状の上部架設棒（１１）及び下部架設棒（１２）を、一対の支柱（１０）の上方及び下方にそれぞれ架設して配置している。そして、この一対の支柱（１０）の底面にはネジ穴（９）を形成している。また、上部架設棒（１１）及び下部架設棒（１２）にはいずれも、長さ方向の中央にポール本体（２）を挿通可能とする円筒状の貫通穴（１３）を貫通形成している。
【００２５】
そして、上記一対の支柱（１０）のネジ穴（９）と、このネジ穴（９）に接続可能に形成した蝶ネジ（１９）とを、図２に示す如く、上記基盤（６）に設けられた３つの挿通穴（８）のうち両端のものを介してネジ留めして接合することにより、図３に示す如く、スタンド（３）を形成することができる。なお、上記挿通穴（８）の大径部（３８）は、上記蝶ネジ（１９）の蝶部（２９）を収納可能に形成されているため、基盤（６）を配置する際に、蝶部（２９）が基盤（６）の底面から突出するおそれがなく、基盤（６）を安定して配置することが可能となる。このように、立設部材（７）は、基盤（６）に着脱自在に係合可能としているため、鯉のぼり掲揚具（１）の使用後は、蝶ネジ（１９）を外して、立設部材（７）と基盤（６）とを分離して収納することが可能であり、収納性の高いものとすることができる。
【００２６】
また、上記の如く形成したスタンド（３）の貫通穴（１３）に、ポール本体（２）の下端側を挿通することにより、図３に示す如く、ポール本体（２）をスタンド（３）に立設する。なお、ポール本体（２）は、貫通穴（１３）に着脱可能に挿通することができるものとしている。そのため、鯉のぼり掲揚具（１）の使用後は、図２に示す如く、ポール本体（２）を貫通穴（１３）から抜き出して、ポール本体（２）と立設部材（７）とを分離して収納することが可能であり、収納性の高いものとすることができる。
【００２７】
また、蝶ネジ（１９）を使用し、大径部（３８）内に、蝶ネジ（１９）収納できるものとしたから、工具を使用することなく手指のみによってスタンド（３）の組立、分解を可能とすることができる。
【００２８】
また、ポール本体（２）は、上記支柱（１０）と同様に、その底面に蝶ネジ（１９）を係合可能なネジ穴（９）が形成されている。そして、ポール本体（２）をスタンド（３）に立設する際には、蝶ネジ（１９）とポール本体（２）のネジ穴（９）を、上記基盤（６）に設けられた３つの挿通穴（８）のうち中央のものを介して、ネジ留めして接続する。これにより、ポール本体（２）を、回動不能な状態でスタンド（３）に立設することとなるため、ポール本体（３）を安定して配置することが可能となる。
【００２９】
そして、ポール本体（２）は、上部ポール部材（１４）及び下部ポール部材（１５）とからなり、この上部ポール部材（１４）と下部ポール部材（１５）とを、上部ポール部材（１４）の下端と下部ポール部材（１５）の上端に取り付けたねじ式のジョイント（図示せず）により、接続することにより形成したものである。従って、鯉のぼり掲揚具（１）の使用後は、ジョイント部分（３０）を外して、上部ポール部材（１４）と下部ポール部材（１５）とを分離することにより、ポール本体（２）をコンパクトに収納することが可能となる。
【００３０】
また、このポール本体（２）は、カーボン繊維素材にて形成している。従って、従来の木材を加工したものを用いたものに比べて、重量が軽い。そのため、従来のものと比べて、取り扱いやすいものとなっている。
【００３１】
また、カーボン繊維素材は、木材と比較して、強度が強い。従って、ポール本体にカーボン繊維素材を用いた場合には、木材を用いて同じ強度のポール本体を形成する場合と比較して、ポール本体（２）の太さを細くすることができる。そのため、従来のポール本体の如く鯉のぼり掲揚具全体が無骨な印象を与えることがなく、鯉のぼり本体とのデザインが調和し、配置することが可能となる。
【００３２】
さらに、カーボン繊維素材は木材と比較して、劣化が生じにくい。従って、木材を用いた場合と比較して、ポール本体（２）に劣化によるひび、曲がりが生じにくいため、ポール本体（２）の耐用期間を長くすることができる。
【００３３】
また、前述の通り、ポール本体（２）をカーボン繊維素材により形成しており、軽量であるため、このポール本体（２）を支えるスタンド（３）についても、従来の室内用の鯉のぼり掲揚具と比較して、小さく、軽いものを使用することができる。そのため、ポール本体（２）の軽量化に加えて、スタンド（３）も軽量化することができるから、鯉のぼり掲揚具（１）全体の重量は、従来のものに比べてはるかに軽いものとなる。従って、持ち運んだり、組み立てたりする場合に、取り扱いやすいものとなっている。
【００３４】
そして、スタンド（３）に立設したポール本体（２）の上部には、図１に示す如く、鯉のぼり本体（５）の口部（２５）及び上部を吊り下げるための支持棒（１６）を、ポール本体（２）の軸方向とは垂直方向に突出させて接続固定している。そして、図４に示す如く、この支持棒（１６）のポール本体（２）側には、リング状の係合部材（１７）を固定配置している。なお、上記支持棒（１６）は、鯉のぼり掲揚具（１）の収納性を考慮し、ポール本体（２）と着脱可能に接続している。また、ポール本体（２）の上端には、図１に示す如く、木製の矢車（１８）を鉛直方向に突出固定している。
【００３５】
そして、上記リング状の係合部材（１７）には、図１に示すごとく、掲揚ひも（４）を挿通して係合しているから、この掲揚ひも（４）は、ポール本体（２）と平行する直線部（２０）が２カ所に形成される。そして、このように配置した掲揚ひも（４）において、一方の直線部（２０）を下方に移動させると、他方の直線部（２０）は上方に移動し、他方の直線部（２０）を下方に移動させると、一方の直線部（２０）は上方に移動するものとなる。
【００３６】
また、本実施例では、上記の如く、係合部材（１７）をリング状に形成して支持棒（１６）の鯉のぼり本体（５）側の下部と接続し、これに掲揚ひも（４）を挿通しているが、他の異なる実施例においては、係合部材（１７）として滑車を用い、この滑車に掲揚ひも（４）を係合させて使用することも可能である。この場合には、掲揚ひも（４）の上下動の際に、掲揚ひも（４）が係合部材（１７）を通過する際の摩擦抵抗が少なくなるため、掲揚ひも（４）の上下動をより円滑に行うことが可能となる。
【００３７】
さらに、上記の如く形成した掲揚ひも（４）には、４体の鯉のぼり本体（５）を接続している。この鯉のぼり本体（５）は、図５に示す如く、鯉のぼり本体（５）の内部に、その背面の形状に沿って、塩化ビニール材にて形成したパイプ製の硬質部材（２３）を挿入配置することにより、その形状を保持している。また、上記鯉のぼり本体（５）は、布材にて形成したものであって、その外形を、一体は吹き流しの装飾を施したものとし、３体は父親鯉、母親鯉、子供鯉等の、鯉のぼりの装飾を施したものとしている。また、掲揚ひも（４）に接続する側の口部（２５）を開口部（２６）とした袋状に形成している。
【００３８】
そして吹き流しの装飾を施した鯉のぼり本体（５）を吹き流し（３１）とし、鯉のぼりの装飾を施した鯉のぼり本体（５）のうち、最大のものを父親鯉のぼり（３２）、次に大きいものを母親鯉のぼり（３３）、最小のものを子供鯉のぼり（３４）とする。
【００３９】
そして、上記の如く形成した各鯉のぼり本体（５）は、その口部（２５）をナイロン製の口糸（３５）を介して掲揚ひも（４）に接続固定している。この口糸（３５）は、図５に示す如く、一端を鯉のぼり本体（５）の口部（２５）の１カ所に接続するとともに、他端を前記接続部の対向位置に一カ所接続している。このように口糸（３５）を口部（２５）において対向位置にそれぞれ１カ所ずつ、計２カ所配置することで、掲揚ひも（４）を上下動させた場合に、口糸（３５）から鯉のぼり本体（５）の口部（２５）にかかる負荷が、２カ所に分散されるため、掲揚ひも（４）の上下動による鯉のぼり本体（５）の破損を防止することができる。
【００４０】
また、上記の如く形成するとともに、口部（２５）を掲揚ひも（４）に接続した４体の鯉のぼり本体（５）は、図１に示す如く、支持棒（１６）の鯉のぼり本体（５）側に吊り糸（３６）を介して連結配置している。詳述すれば、まず、図４に示す如く、支持棒（１６）の鯉のぼり本体（５）側の下面からＳ字フック（２４）を介して吊り糸（３６）を垂下させる。そして、図１に示す如く、この吊り糸（３６）と吹き流し（３１）の上面であって長さ方向中央よりもやや口部（２５）側を、接続糸（３７）を介して連結固定している。
【００４１】
次に、吊り糸（３６）と父親鯉のぼり（３２）の上面であって長さ方向中央よりもやや口部（２５）側を接続糸（３７）を介して連結固定させ、さらに、吊り糸（３６）と母親鯉のぼり（３３）の上面であって長さ方向中央よりもやや口部（２５）側を接続糸（３７）を介して連結固定させている。そして、吊り糸（３６）の下端は、Ｓ字フック（２４）を介して、子供鯉のぼり（３４）の上面であって長さ方向中央よりもやや口部（２５）側と、連結固定している。尚、上記の如く吊り糸（３６）にて連結した各鯉のぼり本体（５）間の連結部分の間隔はほぼ等しいものとしている。
【００４２】
また、上記の如く連結した鯉のぼり本体（５）は、ポール本体（２）に設けられた支持棒（１６）に吊り下げられている。そのため、支持棒（１６）は、これらの鯉のぼり本体（５）の重量に耐えうる強度を確保する必要がある。従って、支持棒（１６）についてもポール本体（２）と同じく、カーボン繊維素材により形成することが好ましい。なお、このようにポール本体（２）と支持棒（１６）との素材を統一することにより、ポール本体（２）と支持棒（１６）とのデザイン上の調和をとることも可能となる。
【００４３】
さらに、上記吊り糸（３６）は、透明なナイロン素材により形成されており、透明でないものを用いる場合と比較して目視により見えにくいものとなっている。従って、鯉のぼり本体（５）が、まるでポール本体（２）のみと接続して配置した屋外用のものと同様に、風の力によって定形的に姿勢を保持しているのと同様に見せることができる。
【００４４】
上記の如く形成した鯉のぼり掲揚具（１）において、図１は、鯉のぼり本体（５）の口部（２５）側が鯉のぼり本体（５）の尾部（２７）側よりも下方に位置する状態を示している。そして、この状態から、ポール本体（２）と平行に配置した掲揚ひも（４）の２本の直線部（２０）のうち、鯉のぼり本体（５）を接続していない掲揚部（２１）を手で引いて下方に移動させる。そうすると、鯉のぼり本体（５）を接続している掲揚ひも（４）の鯉のぼり本体接続部（２２）は上方に移動し、これと同時に、鯉のぼり本体（５）の口部（２５）側も上方に移動する。一方で、鯉のぼり本体（５）の吊り糸（３６）との接続部（２８）は、上述の通り、吊り糸（３６）を介して支持棒（１６）と定位置に連結固定されているため、移動不能となっている。
【００４５】
従って、上記の如く前記掲揚ひも（４）の掲揚部（２１）を下方に移動させると、鯉のぼり本体（５）の口部（２５）側が、吊り糸（３６）との接続部（２８）を支点としてシーソー状に上方に移動するとともに、尾部（２７）側が下方に移動する。そのため、鯉のぼり本体（５）のポール本体（２）に対する姿勢は、図６に示す如く、鯉のぼり本体（５）の口部（２５）側が鯉のぼり本体（５）の尾部（２７）側よりも上方に位置する状態になるから、鯉のぼり本体の姿勢を静かなものとし、穏やかな感性を与えることができる。
【００４６】
また、図６に示す如く、鯉のぼり本体（５）の口部（２５）側が鯉のぼり本体（５）の尾部（２７）側よりも上方に位置する状態で、前記掲揚ひも（４）の鯉のぼり本体接続部（２２）を手で引いて下方に移動させる。これにより、鯉のぼり本体（５）の口部（２５）側が吊り糸（３６）との接続部（２８）を支点として、シーソー状に下方に移動するとともに鯉のぼり本体（５）の尾部（２７）側が上方に移動する。従って、鯉のぼり本体（５）のポール本体（２）に対する姿勢は、図１に示す如く、鯉のぼり本体（５）の口部（２５）側が鯉のぼり本体（５）の尾部（２７）側よりも下方に位置する状態になるから、鯉のぼり本体の姿勢に急流に逆らって泳ぐ勢いの良い感性を与えることができる。なお、この勢いの良い感性、穏やかな感性等は使用者の好みによっても異なるものであり、使用者が任意に決定するものである。
【００４７】
また、この場合も、上記吊り糸にすべての鯉のぼり本体（５）を連結固定しているため、上述の如く掲揚ひも（４）の鯉のぼり本体接続部（２２）を一回下方に移動させることにより、４体すべての鯉のぼり本体（５）の口部（２５）側を、下方に移動させるとともに、尾部（２７）側を上方に移動させることが可能となる。
【００４８】
また、本実施例においては、上記の如く鯉のぼり本体（５）の姿勢角度を調節させた後に、掲揚ひも（４）の両端を、上記スタンド（３）の上部架設棒（１１）に結びつけて固定配置している。そのため、結びつけた後は掲揚ひも（４）が上下動不能となるため、鯉のぼり本体（５）の姿勢を安定させて保持することが可能となる。
【００４９】
このように、本実施例においては、掲揚ひも（４）を上下動させることにより、鯉のぼり本体（５）の姿勢角度を容易に変化させて調整することが可能となる。従って、本実施例における鯉のぼり掲揚具（１）は、従来の室内用のものとは異なり、空中における鯉のぼり本体（５）のポール本体（２）に対する姿勢角度を、使用者の好みに応じて自在に調整することが可能となる。そのため、鯉のぼり本体（５）を使用者の好みで勢いの良いものにしたり、穏やかなものとする等の鯉のぼり本体（５）の姿勢の制御が可能となる。なお、使用者の好みに応じて、鯉のぼり本体（５）の姿勢を水平方向に保つことも当然可能である。
【００５０】
また、本実施例においては、上述の如く掲揚ひも（４）を上下動させる際に、係合部材（１７）を介してポール本体（２）に過度の負荷がかかる場合もある。しかし、ポール本体（２）がカーボン繊維素材により形成されているため、ポール本体（２）の強度が強く、掲揚ひもを上下動させても、ひびや折れが発生しにくいものとなっている。
【図面の簡単な説明】
【００５１】
【図１】鯉のぼり本体の口部側を尾部側よりも下方に配置した状態の斜視図。
【図２】スタンド部の分解拡大斜視図。
【図３】スタンド部の拡大斜視図。
【図４】支持棒の拡大斜視図。
【図５】鯉のぼり本体に硬質部材を挿入配置した状態を示す斜視図。
【図６】鯉のぼり本体の口部側を尾部側よりも上方に配置した状態の斜視図。
【符号の説明】
【００５２】
２  ポール本体
３  スタンド
４  掲揚ひも
５  鯉のぼり本体
１６  支持棒
１７  係合部材
２５  口部
２８  接続部
３６  吊り糸